(57)【要約】【課題】  座標入力装置により指定された画面上の所定領域に含まれる画像を拡大処理する画像表示装置において、該所定領域を指定する際の使い勝手を向上させる。【解決手段】  座標入力手段を用いて指定された画面上の所定領域に含まれる画像を拡大処理する拡大処理工程（ステップＳ３１６）を備える画像表示方法であって、前記座標入力手段により入力された前記画面上の第１の指示座標と第２の指示座標とを認識する工程（ステップＳ３０３）と、前記第１の指示座標を頂点とし前記第２の指示座標に外接する矩形領域であって、前記画面のアスペクト比と等しい矩形領域を算出する算出工程（ステップＳ３０５）と、前記算出された矩形領域の一部が前記画面上に含まれていない場合、該矩形領域が該画面上に表示されるように表示位置を変更する変更工程（ステップＳ３０６〜Ｓ３１４）と、を備え、前記拡大処理工程（ステップＳ３１６）は、前記変更工程により前記画面上に表示された矩形領域を拡大処理することを特徴とする。【選択図】  図３
2005099935.tif 000002
【特許請求の範囲】
【請求項１】
画面上の位置情報を入力する座標入力手段を用いて指定された画面上の所定領域に含まれる画像を拡大処理する拡大処理手段を備える画像表示装置であって、
前記座標入力手段により入力された前記画面上の第１の指示座標と第２の指示座標とを認識する認識手段と、
前記第１の座標を頂点とし前記第２の指示座標に外接する矩形領域であって、前記画面のアスペクト比と等しい矩形領域を算出する算出手段と、
前記算出された矩形領域の一部が前記画面上に含まれていない場合、該矩形領域が該画面上に表示されるように表示位置を変更する変更手段と、を備え、
前記拡大処理手段は、前記変更手段により前記画面上に表示された矩形領域を拡大処理することを特徴とする画像表示装置。
【請求項２】
座標（０、０）から座標（ＸＭ、ＹＭ）までの値を持つ画面上において、位置情報を入力するための座標入力手段を用いて指定された該画面上の所定領域に含まれる画像を、拡大処理する拡大処理手段を備える画像表示装置であって、
前記座標入力手段により入力された画面上の第１の指示座標（ＸＡ、ＹＡ）と第２の指示座標（ＸＢ、ＹＢ）とを認識する認識手段と、
前記第１の指示座標（ＸＡ、ＹＡ）を矩形の始点座標（ＸＡ’、ＹＡ’）として、前記第２の指示座標（ＸＢ、ＹＢ）を通る矩形領域のアスペクト比が、前記画面のアスペクト比と等しくなるように該矩形領域の終点座標（ＸＢ’、ＹＢ’）を算出する算出手段と、
前記算出手段により算出された終点座標について、ＸＢ’が０より小さい場合には、ＸＡ’を（ＸＡ’−ＸＢ’）に変更したのち、ＸＢ’を０に変更し、ＸＢ’がＸＭより大きい場合には、ＸＡ’を（ＸＡ’−（ＸＢ’−ＸＭ））に変更したのち、ＸＢ’をＸＭに変更し、ＹＢ’が０より小さい場合には、ＹＡ’を（ＹＡ’−ＹＢ’）に変更したのち、ＹＢ’を０に変更し、ＹＢ’がＹＭより大きい場合には、ＹＡ’を（ＹＡ’−（ＹＢ’−ＹＭ））に変更したのち、ＹＢ’をＹＭに変更する変更手段と、を備え、
前記拡大処理手段は、前記変更手段により前記画面上に表示された矩形領域を拡大処理することを特徴とする画像表示装置。
【請求項３】
画面上の位置情報を入力する座標入力手段を用いて指定された画面上の所定領域に含まれる画像を拡大処理する拡大処理工程を備える画像表示方法であって、
前記座標入力手段により入力された前記画面上の第１の指示座標と第２の指示座標とを認識する認識工程と、
前記第１の指示座標を頂点とし前記第２の指示座標に外接する矩形領域であって、前記画面のアスペクト比と等しい矩形領域を算出する算出工程と、
前記算出された矩形領域の一部が前記画面上に含まれていない場合、該矩形領域が該画面上に表示されるように表示位置を変更する変更工程と、を備え、
前記拡大処理工程は、前記変更工程により前記画面上に表示された矩形領域を拡大処理することを特徴とする画像表示方法。
【請求項４】
座標（０、０）から座標（ＸＭ、ＹＭ）までの値を持つ画面上において、位置情報を入力するための座標入力手段を用いて指定された該画面上の所定領域に含まれる画像を、拡大処理する拡大処理工程を備える画像表示方法であって、
前記座標入力手段により入力された画面上の第１の指示座標（ＸＡ、ＹＡ）と第２の指示座標（ＸＢ、ＹＢ）とを認識する認識工程と、
前記第１の指示座標（ＸＡ、ＹＡ）を矩形の始点座標（ＸＡ’、ＹＡ’）として、前記第２の指示座標（ＸＢ、ＹＢ）を通る矩形領域のアスペクト比が、前記画面のアスペクト比と等しくなるように該矩形領域の終点座標（ＸＢ’、ＹＢ’）を算出する算出工程と、
前記算出工程により算出された終点座標について、ＸＢ’が０より小さい場合には、ＸＡ’を（ＸＡ’−ＸＢ’）に変更したのち、ＸＢ’を０に変更し、ＸＢ’がＸＭより大きい場合には、ＸＡ’を（ＸＡ’−（ＸＢ’−ＸＭ））に変更したのち、ＸＢ’をＸＭに変更し、ＹＢ’が０より小さい場合には、ＹＡ’を（ＹＡ’−ＹＢ’）に変更したのち、ＹＢ’を０に変更し、ＹＢ’がＹＭより大きい場合には、ＹＡ’を（ＹＡ’−（ＹＢ’−ＹＭ））に変更したのち、ＹＢ’をＹＭに変更する変更工程と、を備え、
前記拡大処理工程は、前記変更工程により前記画面上に表示された矩形領域を拡大処理することを特徴とする画像表示方法。
【請求項５】
請求項３または４に記載の画像表示方法をコンピュータによって実現させるための制御プログラムを格納した記憶媒体。
【請求項６】
請求項３または４に記載の画像表示方法をコンピュータによって実現させるための制御プログラム。
【発明の詳細な説明】
【技術分野】
【０００１】
本発明は、画面上の位置情報を入力する座標入力手段（ポインティング手段）を備えた画像表示装置に関し、特に、ポインティングにより指定された画面領域を拡大して表示する技術に関するものである。
【背景技術】
【０００２】
近年では、プラズマディスプレイを始め、リアプロジェクションディスプレイ、フロントプロジェクタなどの大型表示装置の普及が進んでいる。これらの表示装置において、発表者が画面上を指し示すための手段としては一般的に、指し棒やレーザーポインタなどが多く使用されている。
【０００３】
最近では、より高機能なポインティングシステムとして、画面上を指示した位置を検出する機能を備えた表示装置が開発されている。このようなポインティングシステムによって、指示位置にカーソルを表示したり、画像上に文字や図形等の上書き行ったりすることが可能となる。
【０００４】
指示位置を検出する方法の例としては、表示装置の画面内部にセンサーを備え物体が触れたときの圧力を検出する方式、超音波あるいは赤外線の発信子およびセンサーを表示装置画面の枠部分などに配置して画面上の物体の位置を検出する方式、赤外線を発信するペンを使用してその赤外線を表示装置内部のセンサーにより受信する赤外線方式などが発明されている。
【０００５】
このようなポインティングシステムにおいて実現される機能として、画面上のカーソル表示、文字や図形の上書きなどのほか、応用のひとつとして画像の一部を拡大する機能が挙げられる。
【０００６】
拡大機能の処理は、一般的に、ポインティングデバイス等により、拡大したい始点と終点とを指示して、始点と終点とで囲まれた矩形領域を全画面に拡大表示するという手順により行われる。画面上の領域を直接指示することにより拡大したい領域を直感的に指定することができ、使い勝手がよいからである。
【０００７】
拡大機能に関しては、使い勝手をさらに改善する発明がいくつかなされている。例えば特開平８−１０６５４２号公報に開示されている発明によれば、表示装置画面のアスペクト比と、拡大領域を指定するときの矩形表示のアスペクト比とが等しくなるように、自動的に矩形の終点を修正することにより、拡大される領域をより正確に表示することが可能となっている。
【特許文献１】特開平８−１０６５４２号公報
【発明の開示】
【発明が解決しようとする課題】
【０００８】
しかしながら、上記特許文献１に示したように、画面のアスペクト比と拡大領域矩形のアスペクト比とが等しくなるように矩形の終点を修正する拡大領域指定方法には、いくつかの問題点があり、以下に具体例を挙げて説明する。ここでは、一例として拡大領域の始点を左上にポインティングし終点を右下方向にポインティングする場合について説明する。
【０００９】
ポインティングデバイスにより右下方向に終点を移動していくと、ある時点において終点が画面の下端に達する。この状態でポインティングデバイスをさらに右方向に移動させた場合を考えると、上記特許文献１の場合、下端にある終点は、それ以上移動させることができないため、下方向には矩形領域をひろげることができない。つまり、その時点で画面上に表示されている範囲内で当該拡大領域を指定しなければならないという制約があり、使い勝手が悪い。また、このとき、もしユーザがさらに右方向の領域を拡大したいためにポインティングデバイスを右方向に移動させたとしても、始点座標から画面下端までの距離とアスペクト比とにより右方向の長さが制約されてしまうため、拡大したい部分を拡大領域に入れることができない。この場合ユーザは拡大領域の指定を始点からやり直さなければならず、この点においても使い勝手は良くない。
【００１０】
本発明は、上記課題に鑑みてなされたものであり、画面上の位置情報を入力する座標入力手段を用いて指定された画面上の所定領域に含まれる画像を拡大処理する画像表示装置において、当該所定領域を指定する際の制約を減らすことにより、使い勝手を向上させることを目的とする。
【課題を解決するための手段】
【００１１】
上記の目的を達成するために本発明に係る画像表示装置は以下のような構成を備える。即ち、
画面上の位置情報を入力する座標入力手段を用いて指定された画面上の所定領域に含まれる画像を拡大処理する拡大処理手段を備える画像表示装置であって、
前記座標入力手段により入力された前記画面上の第１の指示座標と第２の指示座標とを認識する認識手段と、
前記第１の指示座標を頂点とし前記第２の指示座標に外接する矩形領域であって、前記画面のアスペクト比と等しい矩形領域を算出する算出手段と、
前記算出された矩形領域の一部が前記画面上に含まれていない場合、該矩形領域が該画面上に表示されるように表示位置を変更する変更手段と、を備え、
前記拡大処理手段は、前記変更手段により前記画面上に表示された矩形領域を拡大処理することを特徴とする。
【発明の効果】
【００１２】
本発明によれば、画面上の位置情報を入力する座標入力手段を用いて指定された画面上の所定領域に含まれる画像を拡大処理する画像表示装置において、当該所定領域を指定する際の制約を減らすことにより、使い勝手が向上する。
【発明を実施するための最良の形態】
【００１３】
以下、添付図面を参照して本発明の好適な実施の形態を詳細に説明する。
【００１４】
［第１の実施形態］
図１は、本発明の第１の実施形態にかかる画像表示装置を備える画像表示システムの構成を表す図であり、また図２はリアプロジェクション型ディスプレイ（画像表示装置）１０１の内部構成の一部を表す図である。
【００１５】
リアプロジェクション型ディスプレイ１０１は、コンピュータやビデオ機器などの映像機器の画像を画面上に表示する装置である。
【００１６】
リアプロジェクション型ディスプレイ１０１内部には、光源ランプ、カラーフィルタ、液晶パネル、光学レンズ、ミラーなどの光学系により構成されている。光源ランプが発生した光は、カラーフィルタなどによりＲＧＢの３色に分離され、それぞれ液晶パネルに照射される。ここでは各液晶パネルの画素数として横方向に１４００画素、縦方向に１０５０画素を持つものを用いることとする。液晶パネルにて変調された光は光学系によりリアプロジェクション型ディスプレイ１０１の画面上に拡大投影され画像が形成される。
【００１７】
リアプロジェクション型ディスプレイ１０１は、パーソナルコンピュータ１０４と画像信号ケーブル１０５、音声信号ケーブル１０６により接続されている。画像信号ケーブル１０５、音声信号ケーブル１０６はそれぞれ画像コネクタ２０３、音声コネクタ２０４に接続される。入力された画像および音声は画像／音声処理部２０５に入力され、それぞれ画質や音質の調整が行われたのち、画像は液晶パネル２０６上に生成され、また音声は、図示しないがリアプロジェクション型ディスプレイ１０１の内部に備えられたスピーカから出力される。
【００１８】
１０２および１０３は、画面上部の左右に設置されたデジタイザモジュール（画面上の位置情報を入力する座標入力手段）である。本画像表示システムでは、デジタイザモジュール１０２および１０３から赤外線を発信し画面の表面をスキャンしている。画面上に障害物が存在すると、発信された赤外線がさえぎられ、受信信号のレベルが変化する。その変化から障害物の位置および大きさを検出することができる。例えば指や指示棒などを用いて画面上の所定の位置をポインティングすると、その位置および大きさを検出することが出来る。
【００１９】
デジタイザモジュール１０２および１０３で検出された信号はデジタイザ受信処理部２０２で受信される。デジタイザ受信処理部２０２では、デジタイザモジュール１０２および１０３からの受信信号から、ポインティング位置データ（位置情報）への変換と、ポインティング位置データのマイクロコントローラ２０１への送信を行う。このときポインティング位置データは、画面上の左上端の画素をポインティングされたときに（０、０）、右上端のときは（１３９９、０）、右下端のときは（１３９９、１０４９）というように、画面上の画素と１対１に対応した値として算出されるようあらかじめ調整がされている。
【００２０】
リアプロジェクション型ディスプレイ１０１は、ユーザが電源オン／オフ、音量調整、チャンネル切換えなどを行うための操作ボタン１０７を備えている。マイクロコントローラ２０１は各ボタンの押下状態を監視しており、いずれかのボタンの押下を検出すると各処理を実行する。例えば、音量プラスのボタンの押下を検出すると、画像／音声処理部２０５に対し音量を増加する設定を行う。
【００２１】
操作ボタン１０７の中の一つに、画面内の一部の拡大表示を行うための、ズームボタンがある。マイクロコントローラ２０１はユーザによるズームボタンの押下を検出すると、拡大表示処理を開始する。拡大表示処理のフローチャートを図３に示す。また、拡大処理時の画面の状態を図４および図５に示し、拡大処理のフローを説明する。
【００２２】
拡大処理を開始すると、まずステップＳ３０２で、画面上のポインティングがあるかどうかを検査する。ポインティングが無い場合はステップＳ３０２でループとなる。つまりポインティングが行われるまで待機し、ポインティングが行われると、ステップＳ３０３に進む。なお、図３では図示していないが、ここで再度ズームボタンを押下したとき、ループを抜けて拡大処理を終了させるようにしても良い。同様に、そのほかのボタンが押下されたときに、拡大処理を終了し、当該他のボタンの処理を実行するようにしても良い。実際には使い勝手を良くするためにも、各ボタン押下により拡大処理を終了させて各ボタンの処理を行うようにするのが望ましい。
【００２３】
ステップＳ３０３では、ポインティングされた座標を開始指示座標（第１の指示座標）（ＸＡ、ＹＡ）として保存する。ここでは、ペン状のポインティングデバイスを使用して、（１８０、６００）が指示されたものとする。
【００２４】
ステップＳ３０４からステップＳ３１５まではループになっており、ポインティング状態のままポインティング位置を移動させるいわゆるドラッグ状態を継続している間はループ内の処理が実行される。
【００２５】
ここで、ドラッグ状態で、図４に示したようにポインティング位置（１０００、８００）まで移動したものとする。
【００２６】
ステップＳ３０４で、現在のポインティング座標（第２の指示座標）を（ＸＢ、ＹＢ）として保存する。図４の状態ではＸＢ＝１０００、ＹＢ＝８００である。
【００２７】
次にステップＳ３０５で、拡大領域の選択状態を示すための矩形の始点座標（ＸＡ’、ＹＡ’）と、終点座標（ＸＢ’、ＹＢ’）を算出する。まず、始点座標（ＸＡ’、ＹＡ’）＝（１８０、６００）に設定する。
【００２８】
ここでマイクロコントローラ２０１は、矩形のアスペクト比が画面のアスペクト比と等しくなるように終点座標（ＸＢ’、ＹＢ’）を算出する。ここで画面のアスペクト比は、縦／横＝１０５０／１４００＝０．７５、あるいは、横／縦＝１４００／１０５０＝１．３３で表される。
【００２９】
このとき、（ＸＡ、ＹＡ）と（ＸＢ、ＹＢ）の位置関係により、（ＸＢ’、ＹＢ’）の算出式が以下のように場合分けされる。
（ＹＢ＜−０．７５（ＸＢ−ＸＡ）＋ＹＡかつ、ＹＢ＜０．７５（ＸＢ−ＸＡ）＋ＹＡ）
または、
（ＹＢ≧−０．７５（ＸＢ−ＸＡ）＋ＹＡかつ、ＹＢ≧０．７５（ＸＢ−ＸＡ）＋ＹＡ）
のとき、
ＸＢ’＝ＸＡ＋｜ＹＢ−ＹＡ｜×１．３３（ＸＢ−ＸＡ≧０のとき）
ＸＡ−｜ＹＢ−ＹＡ｜×１．３３（ＸＢ−ＸＡ＜０のとき）
ＹＢ’＝ＹＢ      ・・・（１）
上記以外のとき、
ＸＢ’＝ＸＢ
ＹＢ’＝ＹＡ＋｜ＸＢ−ＸＡ｜×０．７５（ＹＢ−ＹＡ≧０のとき）
ＹＡ−｜ＸＢ−ＸＡ｜×０．７５（ＹＢ−ＹＡ＜０のとき）      ・・・（２）
このとき、式（１）では、ＹＢ’＝ＹＢ、式（２）では、ＸＢ’＝ＸＢであるから、どちらの場合においても、矩形は、その一辺が現在のポインティング座標（ＸＢ、ＹＢ）を通過するような矩形となる（つまり、第１の座標を頂点とし前記第２の指示座標に外接する矩形領域であって、前記画面のアスペクト比と等しい矩形領域が算出される）。
【００３０】
ここでは、（ＸＡ、ＹＡ）＝（１８０、６００）、（ＸＢ、ＹＢ）＝（１０００、８００）であるから、式（２）の（ＹＢ−ＹＡ≧０のとき）が適用され、
ＸＢ’＝ＸＢ＝１０００
ＹＢ’＝ＹＡ＋｜ＸＢ−ＸＡ｜×０．７５＝１２１５
と算出される。従って（ＸＢ’、ＹＢ’）＝（１０００、１２１５）となり、この時点では図４の点線で示したように、（ＸＢ’、ＹＢ’）が画面内の領域から外れた位置に来ることになる。この矩形を補正するため、以下に述べる処理を行う。
【００３１】
ステップＳ３０６でＸＢ’＜０かどうか、さらにステップＳ３０８ではＸＢ’＞１３９９かどうかの検査を行う。もし、かかる不等式が成り立つ場合には、それぞれステップＳ３０７またはステップＳ３０９においてＸＡ’およびＸＢ’を変更する。今の場合には当てはまらないため、ステップＳ３１０へ進む。ステップＳ３１０では、ＹＢ’＜０かどうかを検査する。もし、かかる不等式が成り立つ場合にはステップＳ３１１でＹＡ’およびＹＢ’を変更する。ここも今の場合には当てはまらない。次にステップＳ３１２において、ＹＢ’＞１０４９かどうかを検査する。ＹＢ’＝１２１５であるから当該不等式が成立し、ステップＳ３１３へ進む。ステップＳ３１３において、ＹＡ’に、ＹＡ’−（ＹＢ’−１０４９）を代入する。したがって、
ＹＡ’＝ＹＡ’−（ＹＢ’−１０４９）＝４３４
となる。そして次に、ＹＢ’に１０４９を代入する。
【００３２】
以上のようにＹＡ’およびＹＢ’を変更したのちマイクロコントローラ２０１は、ステップＳ３１４で始点座標（ＸＡ’、ＹＡ’）および終点座標（ＸＢ’、ＹＢ’）を頂点とした矩形描画処理を行う。実際には、マイクロコントローラ２０１からマイコンバス２１１を介し画像／音声処理部２０５に対して矩形始点座標、終点座標や、描画の色、線の太さ等の設定指示を行い、画像／音声処理部２０５において画像上に対する矩形描画が実行される。
【００３３】
上記の処理で、（ＸＡ’、ＹＡ’）＝（１８０、４３４）、（ＸＢ’、ＹＢ’）＝（１０００、１０４９）となっているから、図５に示したように、図４の点線の矩形を画面内にシフトさせた矩形が表示されることになる。その後、ステップＳ３１５で、ドラッグが終了したかどうかを検査する。ドラッグ状態が継続されているときにはステップＳ３０４へ戻り、新たなポインティング座標を（ＸＢ、ＹＢ）として設定し、上記に述べた処理を継続する。
【００３４】
もし、ポインティングデバイスを画面上から離しドラッグが終了されていた場合にはステップＳ３１６へ進み、マイクロコントローラ２０１は画像／音声処理部２０５に対し、始点座標（ＸＡ’、ＹＡ’）および終点座標（ＸＢ’、ＹＢ’）を頂点とした矩形の領域を拡大する指示を行う。画像／音声処理部２０５において、指示された拡大画像が画面全体に表示される。以上で拡大処理を終了する。
【００３５】
以上の説明から明らかなように、本実施形態によれば、画像の拡大機能を備えた画像表装置において、従来は、画像拡大領域の指定を、画面アスペクト比と等しいアスペクト比の矩形によって行うとき、矩形の終点が画面の端部に達すると、それ以上矩形を拡大できないため、思ったように領域が選択できない場合があったところ、矩形の終点が画面の端部に達したときさらに選択範囲を広げるべく、矩形の終点だけでなく始点の変更も自動的に行い、矩形を画面内に表示させるようにすることで、画面上に表示されていなかった範囲も簡単に指定することが可能となり、拡大領域の指令の際の使い勝手が向上する。
【００３６】
［第２の実施形態］
矩形の終点座標（ＸＢ’、ＹＢ’）が画面内から外れる状態は、方向により上下左右の４通りの場合が考えられる。そこで、本実施形態では、上記第１の実施形態とドラッグの方向を変化させた場合について説明する。
【００３７】
第１の実施形態と同様に、ステップＳ３０３で、開始指示座標（ＸＡ、ＹＡ）＝（１８０、６００）を指示されたものとする。ここで、ドラッグ状態で、位置（１００、４００）まで移動したものとする。ステップＳ３０４では、現在のポインティング座標を（ＸＢ、ＹＢ）として保存する。従って、（ＸＢ、ＹＢ）＝（１００、４００）である。
【００３８】
次にステップＳ３０５では、拡大領域の選択状態を示すための矩形の始点座標（ＸＡ’、ＹＡ’）と、終点座標（ＸＢ’、ＹＢ’）を算出する。まず、始点座標（ＸＡ’、ＹＡ’）＝（１８０、６００）に設定する。終点座標（ＸＢ’、ＹＢ’）については、（ＸＡ、ＹＡ）と（ＸＢ、ＹＢ）の関係から、式（１）の（ＸＢ−ＸＡ＜０のとき）が適用されるから、
ＸＢ’＝ＸＡ−｜ＹＢ−ＹＡ｜×１．３３＝−８７
ＹＢ’＝ＹＢ＝４００
と算出され、（ＸＢ’、ＹＢ’）＝（−８７、４００）となる。
【００３９】
この場合はステップＳ３０６で、ＸＢ’＜０が成立するため、ステップＳ３０７においてＸＡ’およびＸＢ’を変更する。
ＸＡ’＝ＸＡ’−ＸＢ’＝２６７
ＸＢ’＝０
となる。
【００４０】
ステップＳ３１０およびステップＳ３１２の不等式は成立しないのでステップＳ３１４に進み、始点座標（ＸＡ’、ＹＡ’）＝（２６７、６００）および終点座標（ＸＢ’、ＹＢ’）＝（０、４００）を頂点とした矩形描画処理を行うことになり、画面内から左方向に外れた矩形を画面内に表示させる。
【００４１】
以上の説明から明らかなように、ステップＳ３０６、ステップＳ３０８、ステップＳ３１０、ステップＳ３１２において、拡大領域を示す矩形が画面の左右上下いずれの方向に外れていても、矩形の始点および終点の位置を変更することで矩形を画面内に表示させるため、拡大領域指定の際の使い勝手が向上する。
【００４２】
［他の実施形態］
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４３】
この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される情報機器などの装置が含まれることは言うまでもない。
【図面の簡単な説明】
【００４６】
【図１】本発明の一実施形態にかかる画像表示装置を備える画像表示システムの構成を表す図である。
【図２】本発明の一実施形態にかかるディスプレイ１０１の内部構成の一部を表す図である。
【図３】拡大処理の手順を示すフローチャートである。
【図４】拡大処理時の画面状態を示す図である。
【図５】拡大処理時の画面状態を示す図である。
【符号の説明】
【００４７】
１０１  リアプロジェクション型ディスプレイ
１０２  検出モジュール
１０３  検出モジュール
１０４  パーソナルコンピュータ
１０５  画像信号ケーブル
１０６  音声信号ケーブル
１０７  操作ボタン
２０１  マイクロコントローラ
２０２  デジタイザ受信処理部
２０３  画像コネクタ
２０４  音声コネクタ
２０５  画像／音声処理部
２０６  液晶パネル
２０７  画像信号ライン
２０８  音声信号ライン
２０９  画像信号ライン
２１０  デジタイザ用バス
２１１  マイコンバス
【図１】
2005099935.tif 000003
【図２】
2005099935.tif 000004
【図３】
2005099935.tif 000005
【図４】
2005099935.tif 000006
【図５】
2005099935.tif 000007